(57)【要約】      （修正有）【課題】吸殻の回収経路を屈曲させることが可能な吸殻回収装置を提供する。【解決手段】吸殻回収装置20は、主に、灰皿５で廃棄された吸殻を回収するための吸殻導管４と、吸殻導管４内に収容されたスクリューシャフト６と、スクリューシャフト６に回転力を与えるモータ８と、スクリューシャフト６の回転によって吸殻導管４内を搬送された吸殻等を回収する回収箱７とにより構成されている。スクリューシャフト６はスクリューシャフト体６ａとスクリューシャフト体６ｂとを自由継手50で連結して構成されている。吸殻導管４及びスクリューシャフト６は自由継手50の部分で屈曲されているが、スクリューシャフト体６ａとスクリューシャフト体６ｂとが自由継手50により連結されているため自由に回転動力を伝えることができる。【選択図】図３
0003115655.tif 000002
【実用新案登録請求の範囲】
【請求項１】
一列に設けられたパチンコ台の前方に設置された灰皿と、前記灰皿の下部に連通して設置された吸殻導管と、前記吸殻導管内に備えられたスクリューシャフトと、前記スクリューシャフトに回転力を与える駆動部とを備えた吸殻回収装置において、螺旋状の羽根体を有する複数のスクリューシャフト体を自在継手で連結して前記スクリューシャフトを構成したことを特徴とする吸殻回収装置。
【請求項２】
前記スクリューシャフトを軸支する軸受を設けたことを特徴とする請求項１記載の吸殻回収装置。
【請求項３】
前記自在継手が位置する部分で前記吸殻導管を屈曲させたことを特徴とする請求項１又は請求項２に記載の吸殻回収装置。
【請求項４】
前記吸殻導管をその底部から見て前記スクリューシャフトの正転方向側へ屈曲させたことを特徴とする請求項３に記載の吸殻回収装置。
【請求項５】
一の前記羽根体の終端と他の前記羽根体の始端とが前記自在継手部分で対極に位置するよう前記スクリューシャフトを構成したことを特徴とする請求項１〜４のいずれか１つに記載の吸殻回収装置。
【考案の詳細な説明】
【技術分野】
【０００１】
本考案は、パチンコ台に備えられた灰皿に溜められた吸殻を回収する吸殻回収装置に関し、特に、スクリューシャフトにより吸殻を回収箱まで搬送する吸殻回収装置に関するものである。
【背景技術】
【０００２】
従来、パチンコの利用者はパチンコを楽しみながら台に備えられた灰皿を利用して喫煙をしており、その灰皿に溜まった吸殻の回収作業は回収担当者が行なうなど、専ら人力に頼るしかなかった。しかも、その灰皿はパチンコ台のスペースの制約から小さいものであり、そのため、回収作業を頻繁に行なう必要があり、作業が煩雑であるという問題があった。また、パチンコを楽しむ利用者にとっても、回収作業によってパチンコを中断される場合もあり、回収作業が利用者にとって邪魔であり、不愉快に感じるという問題があった。
【０００３】
このような問題を解決する手段として、図６および図７に示すように、パチンコ台101の前部に形成された段部111に備えられた灰皿102と、該灰皿102と連通して前記段部111の下部に設置されたスクリューケース103と、該スクリューケース103内に備えられたスクリューシャフト104と、該スクリューシャフト104に回転力を与える駆動モータ106と、吸殻を回収するダストケース105とにより構成され、前記灰皿102から投入された吸殻はスクリューケース103内をスクリューシャフト104の回転によって搬送され、スクリューケース103の一端に設けられたダストケース105に集められて回収される吸殻回収装置100が提案されている（例えば、特許文献１）。
【０００４】
しかしながら、上述した従来例における吸殻回収装置100によっても、駆動モータ106がスクリューシャフト104と水平に設置されており、駆動モータ106の動力をプーリ107,108とタイミングベルト109によりスクリューシャフト104へ伝達する構造となっているので、駆動ユニット110が水平方向へ大型化し、既存のパチンコ台101に装置を据付ける際にパチンコ台の壁を壊さなければならないなど、既存のパチンコ台の大幅な改造を必要とし、工事費が高くなるという問題があった。しかも、図６に示すように、上記特許文献１に係る吸殻回収装置においては、一列に並んだパチンコ台101の中央に大型の駆動ユニット110を備える構成となっているので、装置が利用者の邪魔になるという問題があった。
【０００５】
このような問題を解決する手段として、出願人が先に提案した特許文献２に開示される吸殻回収装置がある。この装置では、プーリ107，108やタイミングベルト109を用いず、駆動モータ106からスクリューシャフト104へ動力伝達を行う部分に歯車機構を採用して装置全体を小型化している。
【特許文献１】特開平１０−３３８２６号公報
【特許文献２】登録実用新案第３１０１１１３号公報
【考案の開示】
【考案が解決しようとする課題】
【０００６】
しかし、従来の吸殻回収装置では、直線状に延びたスクリューシャフト104を駆動モータ106により回転させて吸殻の回収を行っているため、吸殻の回収経路もスクリューシャフト104と同じく直線状になっていた。すなわち、灰皿102を備えるパチンコ台101も必然的に一直線に並べざるを得ず、パチンコ台101のレイアウトに大きな制限を加える結果となっていた。従って、このような吸殻回収装置を設ける場合には、パチンコ台101のレイアウトがどの店舗においても凡庸なものとなってしまい、パチンコホールにおける空間的な演出の弊害となる虞があった。
【０００７】
また、スクリューケース内の吸殻を残さずダストケースに運ぶことができ、吸殻がスクリューケース内で詰まることがない吸殻回収装置が求められていた。
【０００８】
そこで本考案は上記問題点に鑑み、吸殻の回収経路を屈曲させることが可能な吸殻回収装置を提供することを目的とする。
【０００９】
また、吸殻を残さず回収することができ、かつ吸殻の詰まりを防ぐことが可能な吸殻回収装置を提供することを別の目的とする。
【課題を解決するための手段】
【００１０】
本発明における請求項１では、一列に設けられたパチンコ台の前方に設置された灰皿と、前記灰皿の下部に連通して設置された吸殻導管と、前記吸殻導管内に備えられたスクリューシャフトと、前記スクリューシャフトに回転力を与える駆動部とを備えた吸殻回収装置において、螺旋状の羽根体を有する複数のスクリューシャフト体を自在継手で連結して前記スクリューシャフトを構成している。
【００１１】
このようにすると、スクリューシャフトの自在継手部分でその自重による撓みが生じ、羽根体が吸殻導管の内周面に当接しながら摺動するため、吸殻導管内の吸殻を残さず掻き出すことができる。また、スクリューシャフトの撓みにより、吸殻が吸殻導管の内周面と羽根体との間に挟まれそうになっても、スクリューシャフトが偏奇して両者の間に隙間があき、羽根体が吸殻を乗り越えることができるため吸殻導管内で詰まることがない。
【００１２】
本発明における請求項２の吸殻回収装置では、前記スクリューシャフトを軸支する軸受を設けている。
【００１３】
このようにすると、スクリューシャフトを回転させた場合でもスクリューシャフトの挙動が抑制され、吸殻がうまく搬送されなかったり、不快な音を発生させたりするなどの弊害を除去することができる。
【００１４】
本発明における請求項３の吸殻回収装置では、前記自在継手が位置する部分で前記吸殻導管を屈曲させている。
【００１５】
このようにすると、吸殻の回収経路を屈曲させることができるため、パチンコ台の配置に関する制約を緩和することができる。
【００１６】
本発明における請求項４の吸殻回収装置では、前記吸殻導管をその底部から見て前記スクリューシャフトの正転方向側へ屈曲させている。
【００１７】
このようにすると、スクリューシャフトの狭角側で羽根体の先端が通る軌道が互いに近づき、一の羽根体からこぼれ落ちる吸殻の位置と、他の羽根体が吸殻をすくう位置とが合致し、自由継手の連結部分で羽根体が非連続になっていても問題なく吸殻を搬送することができる。
【００１８】
本発明における請求項５の吸殻回収装置では、一の前記羽根体の終端と他の前記羽根体の始端とが前記自在継手部分で対極に位置するよう前記スクリューシャフトを構成している。
【００１９】
このようにすると、一の羽根体により吸殻が押し出され終わったところで、他の羽根体が吸殻導管の底部に到達するため、吸殻をスムーズに搬送することができる。
【考案の効果】
【００２０】
本発明の請求項１によると、吸殻を残さず回収することができ、かつ吸殻の詰まりを防ぐことが可能な吸殻回収装置を提供することができる。
【００２１】
本発明の請求項２によると、スクリューシャフトの挙動が抑制され、当該回転時の弊害を除去することができる。
【００２２】
本発明の請求項３によると、吸殻の回収経路を屈曲させてパチンコ台のレイアウトを自由に行うことが可能な吸殻回収装置を提供することができる。
【００２３】
本発明の請求項４によると、自由継手の連結部分で羽根体が非連続になっていても問題なく吸殻を搬送することができる。
【００２４】
本発明の請求項５によると、吸殻をスムーズに搬送することができる。
【考案を実施するための最良の形態】
【００２５】
以下、添付図面を参照しながら、本発明における吸殻回収装置の好ましい実施例を説明する。
【００２６】
図１は、吸殻回収装置20を備えたパチンコ台１の構成を示す斜視図である。パチンコ台１は、複数台が一列に横方向に連なって基台２に嵌め込まれて設けられている。この基台２は、長手方向略中央で後方へくの字に折り曲げた形状をしており、前方側には段部３が形成されている。もちろん、基台２は、パチンコ台１のレイアウトに合わせて上下左右様々な方向へ折り曲げたものとすることができ、複数回折り曲げても良い。段部３上面には、壁状に立設された各パチンコ台１に対して１つずつ、灰皿５がパチンコ台１の手前側左寄りに設置されており、これらの灰皿５を結びつけるように、段部３内に吸殻回収装置20が設けられている。また、段部３の一端部下方には回収箱７が設置されており、各灰皿５で廃棄された吸殻等は回収箱７へ回収される。
【００２７】
段部３に設けられた灰皿５を拡大したものが図２である。灰皿５は、すり鉢状の灰受部５ａの上端縁にフランジ部５ｂが形成され、灰受部５ａ及びフランジ部５ｂの一部を後方側（パチンコ台１側）から覆う逆皿状のドリンクホルダー５ｅが設けられることにより構成されている。灰受部５ａは、段部３の上面に埋め込まれるよう設置されており、その灰受部５ａの底面には廃棄孔５ｄが開口形成されている。この廃棄孔５ｄから吸殻が廃棄されることとなる。フランジ部５ｂの前方側部分には、吸いかけのタバコを安定して置くための載置部５ｃが放射方向へ一筋形成されている。灰皿５の下方には、段部３に内蔵された吸殻回収装置20を構成する吸殻導管４が設置されている。
【００２８】
図３〜５は、吸殻回収装置20の内部構成を示す図である。吸殻回収装置20は、主に、灰皿５で廃棄された吸殻を回収するための回収経路としての吸殻導管４と、吸殻導管４内に収容されたスクリューシャフト６と、スクリューシャフト６に回転力を与える駆動部であるモータ８と、スクリューシャフト６の回転によって吸殻導管４内を搬送された吸殻等を回収する回収箱７とにより構成されている。
【００２９】
吸殻導管４は、例えばアルミなどの耐熱性に優れた部材からなる逆蒲鉾形の長い管であり、断面半円弧状の管底部30を断面逆Ｌ字状の管上部31に嵌着させて組み立てられる。管上部31は、扁平板状の蓋面部32の一側から側壁33が直角に垂下し、その先に管底部30が形成する円弧と連続する円弧を形づくる管壁34が形成されてなる。また、管壁34の外側には断面Ｌ字状の鉤条を対向させてなる螺子止めレール41が形成され、その反対側となる蓋面部32の他側部には断面Ｃ字状のガイドレール40が形成されている。吸殻導管４を段部３に取り付ける際には、ガイドレール40へ段部３の図示しない凸条部を嵌挿し、ネジ止めレール41を介して下方から段部３上面へネジ60を螺着することにより固定する。管壁34の下端には管底部30と係止，嵌合するための凸条35と鉤条36とが、長手方向全体にわたって平行に設けられている。これに伴い、管底部30の一側端部には、凸条35と嵌合する凹条37が形成される一方、その端縁には鉤条36と係止するための係止膨縁38が形成されている。これら凹条37と係止膨縁38が形成された部分は、管底部30の本体部分から外側へ段違いになっている。これにより、管底部30を管上部31へ嵌着した際に、管底部30の本体部分と管壁34とが連続する円弧となる。一方、管底部30の他側端部は、円弧状の本体部分から外側へ段違いになっており、その先は直角方向へ折れ曲がった当接部45になっている。この当接部45は、吸殻導管４を組立てた際にガイドレール40に当接する部分であり、その基部にはガイドレール40の内側面と係止する凸条46が突設されている。
【００３０】
組立て後の吸殻導管４の内面は部分的に滑らかにはなっておらず、管底部30の本体部分と管壁34とにより形成される円弧の両端部が対称的に内側に突出することにより、吸殻返し47，47が形成されている。吸殻返し47，47には、吸殻がスクリューシャフト６により吸殻導管４の上部へすくい上げられた際に、当該吸殻をスクリューシャフト６側へ落とす作用がある。吸殻導管４は、基台２が折れ曲がっていることに伴い、同じように途中で屈曲するよう設けられている。なお、管上部31の蓋面部32のうち、灰皿５が設置された位置と重なる部分には図示しない開口部が設けられ、この開口部と灰皿５の廃棄孔５ｄとにより吸殻導管４内と灰皿５内とが連通する。吸殻導管４内には、灰皿５に投入された吸殻等を搬送するためのスクリューシャフト６が収容されている。
【００３１】
スクリューシャフト６は、吸殻導管４と同様に例えばアルミなどの耐熱性に優れた部材からなり、吸殻導管４の全長に渡ってその内部に配されている。前述のように吸殻導管４は途中で屈曲しているため、スクリューシャフト６も同様に屈曲させる必要がある。そこで、本実施例では、第１のスクリューシャフト体６ａと第２のスクリューシャフト体６ｂとを自由継手50で連結することによりそれを可能としている。自由継手50はユニバーサルジョイントとも呼ばれ、四方へ屈曲自在とすることにより、２本の軸がある角度をなして交わる場合でも自由に回転動力を伝えることができる。このように、スクリューシャフト６は第１のスクリューシャフト体６ａと第２のスクリューシャフト体６ｂとを自由継手50で連結して構成され、第１のスクリューシャフト体６ａ側となる一端は、歯車機構を備えるギアボックス12を介して当該スクリューシャフト６に回転力を与える駆動部であるモータ８に連結され、第２のスクリューシャフト体６ｂ側となる他端は、吸殻導管４の蓋面部32に据え付けられた軸受51により軸支されている。
【００３２】
スクリューシャフト体６ａ，６ｂが２自由度を有する自由継手50で連結されているため、スクリューシャフト６を回転させた場合に、スクリューシャフト体６ｂの挙動が定まらず、吸殻導管４内でスクリューシャフト体６ｂが暴れてしまい、吸殻がうまく搬送されなかったり、不快な音を発生させたりするなどの弊害が生じる虞がある。軸受51によりスクリューシャフト体６ｂを軸支することで、スクリューシャフト６を回転させた場合でもスクリューシャフト体６ｂの挙動が抑制され、上記弊害を除去することができる。
【００３３】
スクリューシャフト体６ａ，６ｂには、例えば潤滑性に優れた樹脂などからなる羽根21ａ，21ｂがそれぞれ巻装されている。羽根21ａ，21ｂは、スクリューシャフト体６ａ，６ｂが挿通される芯部52と、芯部52の外周をスクリューシャフト６の正転方向（吸殻回収時の回転方向、図５では反時計回りとなる。）へ回りながら吸殻の搬送方向（モータ８側）とは逆方向へ進む螺旋状に形成された羽根体53とから構成されており、吸殻導管４内に廃棄された吸殻等をその回転によって前記基台２の一端へ搬送する。自由継手50を設けたことによりこの部分では、羽根21ａ，21ｂの羽根体53，53が非連続となっている。
【００３４】
ところで、スクリューシャフト体６ａ，６ｂは任意の角度をなして自由継手50で連結されているため、当該狭角側では羽根体53の先端が通る軌道が互いに近づき重なることとなる。これに着目して、スクリューシャフト体６ａ，６ｂひいては羽根体53，53の正転時に、羽根体53に押されて吸殻が吸殻導管４の底部から持ち上がる側、すなわち吸殻導管４の底部から見て当該正転方向側へ屈曲させることにより、羽根21ｂの羽根体53からこぼれ落ちる吸殻の位置と、羽根21ａの羽根体53が吸殻をすくう位置とが合致し、自由継手50の連結部で羽根体53，53が非連続になっていても問題なく吸殻を搬送することができる。また、羽根21ｂの羽根体53の終端と羽根21ａの羽根体53の始端との位相を前記連結部で略１８０℃ずらす、すなわちこれらを対極に位置させることにより、羽根21ｂの羽根体53により吸殻が押し出され終わったところで、羽根21ａの羽根体53が吸殻導管４の底部に到達するため、吸殻をスムーズに搬送することができる。もちろん、羽根21ｂの羽根体53の終端と羽根21ａの羽根体53の始端との位相を少しずらすだけでも多かれ少なかれ同様の作用効果を奏するが、とりわけ、これらを対極に位置させた場合には、羽根21ｂの羽根体53の終端から羽根21ａの羽根体53への距離が最も遠くなるため、羽根21ｂが吸殻を押し出している際に当該吸殻が羽根21ａの羽根体53に衝突して押し返されることもない。
【００３５】
基台２の一端には前記スクリューシャフト６によって吸殻導管４内を搬送された吸殻等を回収する回収箱７と、前記スクリューシャフト６に回転力を与える駆動部であるモータ８が備えられる。
【００３６】
回収箱７は、前記スクリューシャフト６により搬送された吸殻等を受けられるように、吸殻導管４から露出したスクリューシャフト６の下方に、基台２に対して着脱自在に設置される。こうすることによって、回収箱７を利用者の邪魔にならない基台２の端に設置できると共に、回収箱７の上部、すなわち、基台２の端にも灰皿５を設置することができるので、基台２のスペースを有効に利用することができ、しかも、一箇所にて集中的に吸殻等の回収を行なうことができるので、効率良く作業を行なうことができる。
【００３７】
モータ８はスクリューシャフト６の下部に設置されており、その出力軸９はギアボックス12内へ挿入されている。ギアボックス12内では、出力軸９の先端に同軸に第１の歯車10が取り付けられており、該第１の歯車10の歯が、前記スクリューシャフト６の先端に自由継手13を介して同軸に取り付けられた第２の歯車11の歯に噛み合うことによって、モータ８の回転力が第１および第２の歯車10,11を通じて、前記スクリューシャフト６へ伝達される。第２の歯車11の中心軸に対しスクリューシャフト６の中心軸が傾いていても、２自由度を有する自由継手13により、第２の歯車11とスクリューシャフト６間に生ずるズレを吸収するので、第１および第２の歯車10,11の歯を良好に噛み合わせることができる。従って、モータ８の回転力を確実にスクリューシャフト６に伝達することができ、スムーズにスクリューシャフト６を回転させることができる。
【００３８】
図示しないスイッチが投入されると前記モータ８が駆動し、それにより出力軸９および出力軸９に連結された第１の歯車10が回転し、第２の歯車11にモータ８の回転力を伝達する。これにより第２の歯車11と同軸に連結された前記スクリューシャフト６が吸殻導管４内を回転し、灰皿５から吸殻導管４へ廃棄された吸殻等が、スクリューシャフト６の羽根21ａ，21ｂにより基台２の一端へ搬送される。このとき、スクリューシャフト６の両端が自由継手13と軸受51とにより支持されると共に、スクリューシャフト体６ａ，６ｂ間が自由継手50で連結されていることから、スクリューシャフト６にその自重による撓みが生じる。これにより、羽根21ａ，21ｂを回転させると羽根体53，53が吸殻導管４の底部に当接しながら摺動するため、吸殻導管４内の吸殻を残さず掻き出すことができる。その一方で、スクリューシャフト６の撓みにより、吸殻が吸殻導管４の内周面と羽根体53との間に挟まれそうになっても、スクリューシャフト体６ａ，６ｂが偏奇して両者の間に隙間があき、羽根体53が吸殻を乗り越えることができるため吸殻導管４内で詰まることがない。
【００３９】
以上のように本実施例では、一列に設けられたパチンコ台１の前方に設置された灰皿５と、灰皿５の下部に連通して設置された吸殻導管４と、吸殻導管４内に備えられたスクリューシャフト６と、スクリューシャフト６に回転力を与える駆動部としてのモータ８とを備えた吸殻回収装置20において、螺旋状の羽根体53を有する複数のスクリューシャフト体６ａ，６ｂを自在継手50で連結してスクリューシャフト６を構成している。
【００４０】
このようにすると、スクリューシャフト６の自在継手50部分でその自重による撓みが生じ、羽根体53が吸殻導管４の内周面に当接しながら摺動するため、吸殻導管４内の吸殻を残さず掻き出すことができる。また、スクリューシャフト６の撓みにより、吸殻が吸殻導管４の内周面と羽根体53との間に挟まれそうになっても、スクリューシャフト６が偏奇して両者の間に隙間があき、羽根体53が吸殻を乗り越えることができるため吸殻導管４内で詰まることがない。以上より、吸殻を残さず回収することができ、かつ吸殻の詰まりを防ぐことが可能な吸殻回収装置20提供することができる。
【００４１】
また本実施例の吸殻回収装置20では、スクリューシャフト６（スクリューシャフト体６ｂ）を軸支する軸受51を設けている。
【００４２】
このようにすると、スクリューシャフト６を回転させた場合でもスクリューシャフト６の挙動が抑制され、吸殻がうまく搬送されなかったり、不快な音を発生させたりするなどの弊害を除去することができる。
【００４３】
さらに本実施例の吸殻回収装置20では、自在継手50が位置する部分で吸殻導管４を屈曲させている。
【００４４】
このようにすると、吸殻の回収経路を屈曲させることができるため、パチンコ台１の配置に関する制約を緩和することができる。従って、吸殻の回収経路を屈曲させてパチンコ台１のレイアウトを自由に行うことが可能な吸殻回収装置20を提供することができる。
【００４５】
また本実施例の吸殻回収装置20では、吸殻導管４をその底部から見てスクリューシャフト６の正転方向側へ屈曲させている。
【００４６】
このようにすると、スクリューシャフト６の狭角側で羽根体53の先端が通る軌道が互いに近づき、一の羽根体53からこぼれ落ちる吸殻の位置と、他の羽根体53が吸殻をすくう位置とが合致し、自由継手50の連結部分で羽根体53，53が非連続になっていても問題なく吸殻を搬送することができる。
【００４７】
さらに本実施例の吸殻回収装置20では、一の羽根体53の終端と他の羽根体53の始端とが自在継手50部分で対極に位置するようスクリューシャフト６を構成している。
【００４８】
このようにすると、一の羽根体53により吸殻が押し出され終わったところで、他の羽根体53が吸殻導管４の底部に到達するため、吸殻をスムーズに搬送することができる。
【００４９】
本考案は、本実施形態に限定されるものではなく、本考案の要旨の範囲内で種々の変形実施が可能である。例えば、灰皿５に蓋体を収納自在に設ければ、灰皿５不使用時は灰皿５に蓋をすることによってタバコの臭いを防止することができる。また、吸殻導管４およびスクリューシャフト６を取り外して清掃を行なえるように、吸殻導管４およびスクリューシャフト６を着脱自在に基台２に設置してもよいし、さらに、基台２に吸殻導管４を設置したままの状態で吸殻導管４内に水を流して吸殻導管４およびスクリューシャフト６の清掃を行なえるように、吸殻導管４に給水装置を接続してもよい。さらに、灰皿５の上部に図示しない吸煙口を設け、前記吸煙口と配管によって連通された図示しない排気部を備えてもよい。これにより、灰皿５内および灰皿５周辺のタバコの煙を吸煙口より吸い込み、その煙が配管を通って排気部から外気へ排気することができるので、より良好な環境でパチンコを楽しむことができる。また、モータ８を逆転させるための操作手段を設けてもよく、吸殻の回収方向を上記実施例と逆にして回収箱７をモータ８とは反対側に配置してもよい。
【図面の簡単な説明】
【００５０】
【図１】本考案の第１実施例における吸殻回収装置を備えたパチンコ台の全体構成を模式的に示す斜視図である。
【図２】同上、灰皿とレールの位置関係を示す拡大斜視図である。
【図３】同上、吸殻回収装置を構成する吸殻導管の管底部を外した状態での吸殻回収装置の内部構成を示す要部縦断面図である。
【図４】同上、吸殻回収装置を構成する吸殻導管の管底部を外した状態での吸殻回収装置の底面図である。
【図５】同上、吸殻回収装置を構成する吸殻導管を軸方向から見た要部縦断面図である。
【図６】従来例における吸殻回収装置を備えたパチンコ台の全体構成を模式的に示す斜視図である。
【図７】同上、吸殻回収装置の内部構成を示す要部縦断面図である。
【符号の説明】
【００５１】
１  パチンコ台
４  吸殻導管
５  灰皿
６  スクリューシャフト
６ａ，６ｂ  スクリューシャフト体
８  モータ（駆動部）
20  吸殻回収装置
50  自在継手
51  軸受
53  羽根体
【図１】
0003115655.tif 000003
【図２】
0003115655.tif 000004
【図３】
0003115655.tif 000005
【図４】
0003115655.tif 000006
【図５】
0003115655.tif 000007
【図６】
0003115655.tif 000008
【図７】
0003115655.tif 000009